(57)【要約】【課題】インターホンの機能ボタンを、画像表示装置の画像に重ならないように表示し、また使用できる機能が明示されるように表示する。【解決手段】タッチパネル付きモニタ４６のタッチパネル６２のサイズを、画像表示装置６０より大きいものにする。タッチパネル６２の、画像表示装置６０と重なっている部分以外の少なくとも一部を裏面から照明して、機能ボタン６４ａ，６４ｂ，６４ｃ，６４ｄを表示させる。インターホンの使用状況に応じて、その使用状況において使用できる機能に係る機能ボタンのみを表示する。【選択図】図２
2009159347.tif 000002
【特許請求の範囲】
【請求項１】
親機と子機の間で通話するインターホンであって、
親機に設けられた画像表示装置と、
前記画像表示装置上に重ねて配置され、前記画像表示装置の画面サイズより大きいサイズのタッチパネルと、
当該インターホンにあらかじめ設定されている機能の実行を指示する機能ボタンであって、前記タッチパネルの、前記画像表示装置に重なっている部分以外の部分の少なくとも一部を裏面より照明する光源により、タッチパネル表面に表示される機能ボタンと、
当該インターホンの使用状況に応じて、使用状況ごとにあらかじめ定められている前記機能ボタンの表示または非表示を制御するボタン表示制御部と、
を有する、インターホン。
【請求項２】
請求項１に記載のインターホンであって、前記ボタン表示制御部は、使用状況ごとに、その使用状況において使用できる機能に係る機能ボタンのみを表示に制御する、インターホン。
【請求項３】
請求項２に記載のインターホンであって、
子機は、来訪者を撮影するカメラと、呼び出しを行う呼び出しボタンを有し、
親機は、子機との間の通話を許可する通話ボタンを有し、
前記使用状況は、子機から呼び出しボタンによる呼び出しがあった第１の状況と、親機にて通話ボタンにより通話許可がなされた第２の状況とを含み、
前記機能ボタンは、前記カメラの撮影した画像を録画指示する録画ボタンと、前記カメラの撮影した画像の逆光を補正する逆光補正ボタンと、通話時の音量を調整する音量ボタンと、親機側の音声を子機側に伝えないようにする保留ボタンと、を含み、
前記ボタン表示制御部は、前記呼び出しボタンと前記通話ボタンの操作から使用状況を判断し、前記第１の状況においては、録画ボタンと逆光補正ボタンを表示に、音量ボタンと保留ボタンを非表示に制御し、前記第２の状況においては、録画ボタン、逆光補正ボタン、音量ボタンおよび保留ボタンを表示に制御する、
インターホン。
【請求項４】
親機と子機の間で通話するインターホンであって、
親機に設けられた画像表示装置と、
前記画像表示装置上に重ねて配置され、前記画像表示装置の画面サイズより大きいサイズのタッチパネルと、
当該インターホンにあらかじめ設定されている機能の実行を指示する機能ボタンであって、前記タッチパネルの、前記画像表示装置に重なっている部分以外の部分の少なくとも一部を裏面より照明する光源により、タッチパネル表面に表示される機能ボタンと、
当該インターホンの使用状況に応じて、その使用状況において使用できる機能に係る機能ボタンを、使用できない場合と区別できるように表示の制御をするボタン表示制御部と、
を有する、インターホン。
【請求項５】
請求項４に記載のインターホンであって、
子機は、来訪者を撮影するカメラと、呼び出しを行う呼び出しボタンを有し、
親機は、子機との間の通話を許可する通話ボタンを有し、
前記使用状況は、子機から呼び出しボタンによる呼び出しがあった第１の状況と、親機にて通話ボタンにより通話許可がなされた第２の状況とを含み、
前記機能ボタンは、前記カメラの撮影した画像を録画指示する録画ボタンと、前記カメラの撮影した画像の逆光を補正する逆光補正ボタンと、通話時の音量を調整する音量ボタンと、親機側の音声を子機側に伝えないようにする保留ボタンと、を含み、
前記ボタン表示制御部は、前記呼び出しボタンと前記通話ボタンの操作から使用状況を判断し、前記第１の状況においては、録画ボタンと逆光補正ボタンを使用できる態様とする制御をし、音量ボタンと保留ボタンを使用できない態様とする制御をし、前記第２の状況においては、録画ボタン、逆光補正ボタン、音量ボタンおよび保留ボタンを使用できる態様とする制御をする、
インターホン。
【請求項６】
子機との間で通話を行うインターホンの親機であって、
子機に設けられたカメラにより撮影された画像を表示可能な画像表示装置と、
前記画像表示装置上に重ねて配置され、前記画像表示装置の画面サイズより大きいサイズのタッチパネルと、
当該インターホンにあらかじめ設定されている機能の実行を指示する機能ボタンであって、前記タッチパネルの、前記画像表示装置に重なっている部分以外の部分の少なくとも一部を裏面より照明する光源により、タッチパネル表面に表示される機能ボタンと、
当該インターホンの使用状況に応じて、使用状況ごとにあらかじめ定められている前記機能ボタンの表示または非表示を制御するボタン表示制御部と、
を有する、インターホンの親機。
【請求項７】
子機との間で通話を行うインターホンの親機であって、
子機に設けられたカメラにより撮影された画像を表示可能な画像表示装置と、
前記画像表示装置上に重ねて配置され、前記画像表示装置の画面サイズより大きいサイズのタッチパネルと、
当該インターホンにあらかじめ設定されている機能の実行を指示する機能ボタンであって、前記タッチパネルの、前記画像表示装置に重なっている部分以外の部分の少なくとも一部を裏面より照明する光源により、タッチパネル表面に表示される機能ボタンと、
当該インターホンの使用状況に応じて、その使用状況において使用できる機能に係る機能ボタンを、使用できない場合と区別できるように表示の制御をするボタン表示制御部と、
を有する、インターホンの親機。
【発明の詳細な説明】
【技術分野】
【０００１】
離れた場所に設置された親機と子機の間の通話を可能とするインターホンに関する。
【背景技術】
【０００２】
住居などの建築物の離れた場所、例えば玄関または門と家屋内とに子機、親機を設置し、来訪者等と居住者の間で通話を可能とするインターホンが知られている。この用途のインターホンにおいては、子機に来訪者を撮影するカメラを備え、親機に子機のカメラで撮影した画像を表示する画像表示装置を設けたものが知られている。さらに、画像表示装置にタッチパネルを重ねて配置し、画像表示装置に、来訪者の画像と併せて操作ボタン等の画像を表示させて、当該インターホンの操作を行う入力装置として機能させる例もある（下記特許文献１参照）。
【０００３】
【特許文献１】特開２００２−２６０１３５号公報
【発明の開示】
【発明が解決しようとする課題】
【０００４】
画像表示装置により、例えばカメラで撮影された画像と操作ボタン等の画像を併せて表示する場合、操作ボタンを表示する分、カメラの画像が小さくなるか、またはカメラの画像の一部が操作ボタンに隠れる。また、画像表示装置にメッセージなどの文章を表示する場合にも、文章の長さが短く制限されるか、または文字の大きさが小さくなる。また、カメラの画像を大きく表示するために、またより長い文章を表示したり文字を大きく表示したりするために、ボタンを画像表示装置の外側に固定的に設ければ、常に操作ボタンが見え、煩雑な印象を与える。
【０００５】
本発明は、画像表示装置を有効に利用して画像を大きく表示し、一方で操作ボタンが煩雑な印象を与えないようにしたインターホンを提供する。
【課題を解決するための手段】
【０００６】
本発明に係るインターホンにおいては、親機において重ねて用いられる画像表示装置とタッチパネルのサイズに関し、タッチパネルを大きいサイズとし、タッチパネルの、画像表示装置と重なっていない部分に、当該インターホンにあらかじめ設定されている機能を実行させる指示を行う機能ボタンが構成される。機能ボタンは、液晶表示装置と重なっていないタッチパネルの部分の少なくとも一部を裏面より光源により照明し、タッチパネルの表面に表示されるようにできる。機能ボタンの表示は、当該インターホンの使用状況に応じて制御される。機能ボタンは、使用状況ごとに表示されるか否かがあらかじめ定められており、この定めに応じて表示／非表示の制御がされる。これは、前記光源の制御、例えば点灯／消灯により達成することができる。この機能ボタンの表示制御は、ボタン表示制御部により制御されることができる。
【０００７】
機能ボタンは、ある使用状況において、その使用状況で使用できる機能に関するもののみ表示されるようにできる。
【０００８】
使用状況は、子機から呼び出しボタンによる呼び出しがあった第１の状況、親機にて通話ボタンにより通話許可がなされた第２の状況とを含むことができ、ボタン表示制御部は呼び出しボタンの操作、通話ボタンの操作により状況を判断するようにできる。
【０００９】
機能ボタンは、前記カメラの撮影した画像を録画指示する録画ボタンと、前記カメラの撮影した画像の逆光を補正する逆光補正ボタンと、通話時の音量を調整する音量ボタンと、親機側の音声を子機側に伝えないようにする保留ボタンと、を含むことができる。
【００１０】
前記第１の状況においては、録画ボタンと逆光補正ボタンを表示に、音量ボタンと保留ボタンを非表示に制御し、前記第２の状況においては、録画ボタン、逆光補正ボタン、音量ボタンおよび保留ボタンを表示に制御するようにできる。
【００１１】
機能ボタンの表示に関する別の態様では、インターホンのある使用状況に応じて、その使用状況において使用できる機能に係る機能ボタンを、使用できない場合と区別できるように表示する。例えば、輝度または色を変えて、使用できる場合とできない場合を区別するようにする。
【発明を実施するための最良の形態】
【００１２】
以下、本発明の実施形態を、図面に従って説明する。図１は、集合住宅におけるインターホンシステム１０の概略構成を示す図である。集合住宅の共通の玄関である集合玄関に集合玄関子機１２が設置される。集合玄関子機１２は制御盤１４を介して、管理室に設置された管理室親機１６に接続されている。また、集合玄関子機１２は、制御盤１４および各住戸の玄関に設置された住戸子機１８を介して、住戸親機２０と接続されている。住戸子機１８および住戸親機２０は、図では１組のみ示しているが、それぞれの住戸に同様の組が備えられている。
【００１３】
集合玄関子機１２には、来訪者を撮影するカメラ２２、音声を収集するマイク２４、管理室または住戸の親機からの音声を発するスピーカ２６、呼び出す住戸等を指定するテンキー２８および呼び出しを行う呼び出しボタン３０が設けられている。管理室親機１６には、受話器３２、呼び出す住戸の指定等を行うテンキー３４、操作ボタン３６等が備えられている。住戸子機１８には、来訪者を撮影するカメラ３８、音声を収集するマイク４０、管理室または住戸の親機からの音声を発するスピーカ４２、および呼び出しを行う呼び出しボタン４４が設けられている。住戸親機２０は、集合玄関子機１２または住戸子機１８のカメラ２２，３８で撮影された画像を表示でき、また操作パネルとして使用できるタッチパネル付きモニタ４６を備える。また、集合玄関子機１２、住戸子機１８または管理室親機１６からの音声を発するスピーカ４８、これらの子機等との通話を許可する通話ボタン５０および音声を収集するマイク５２、さらに集合玄関の解錠を行う解錠ボタン５４を備えている。
【００１４】
来訪者は、集合玄関にて集合玄関子機１２のテンキー２８および呼び出しボタン３０を操作し、訪問先の住戸親機２０を呼び出す。住戸親機２０側では、居住者が、集合玄関子機のカメラ２２で撮影され、タッチパネル付きモニタ４６に表示された来訪者の画像を確認し、解錠ボタン５４を操作して、集合玄関の解錠を行う。このとき、居住者は、通話ボタン５０を押すことで、来訪者と通話することもできる。来訪者は、集合玄関を入り、各住戸の玄関に設けられた住戸子機１８の呼び出しボタン４４を操作する。この場合も、住戸子機のカメラ３８で撮影した来訪者の画像がタッチパネル付きモニタ４６に表示される。また、通話ボタン５０により通話も可能である。本実施形態の住戸親機２０には、上記のインターホンとしての基本的な機能の他に追加的な機能を有する。これらの機能は、タッチパネル付きモニタ４６のタッチパネル上に構成される機能ボタンにより動作の指示がなされる。この機能ボタンを含め、以下、住戸親機２０の詳細な構造につき説明する。
【００１５】
図２は住戸親機２０の正面図、図３は左側面図、図４は底面図である。すでに説明した構成要素については、同一の符号を付して説明を省略する。住戸親機２０の形状は、正面から見た場合略長方形であり、側方および底より見た場合「凸」の形状となっている。凸形状の幅の狭い部分５８は、住居の壁面に埋め込まれる部分であり、幅の広い部分５６のみ壁面より露出する。この凸形状により、住戸親機２０の一部を埋め込む場合に壁面に設ける穴を小さくすることができ、壁面からの突出量を抑えて、すっきりした外観にすることができる。
【００１６】
タッチパネル付きモニタ４６は、画像表示装置６０とタッチパネル６２が重ねられて構成されている。図２に示されるようにタッチパネル６２のサイズは、画像表示装置６０のサイズよりも大きく、タッチパネル６２の画像表示装置６０より外側となる部分には、あらかじめ設定されている機能を動作させるための４個の機能ボタン６４ａ，６４ｂ，６４ｃ，６４ｄが構成されている。４個の機能ボタンについて、個々を区別して説明する必要がある場合にはａ〜ｄの添え字を付するが、区別の必要のない場合には添え字を省略し、単に「６４」と記す。また、機能ボタン６４の数は４個以外であってもよい。画像表示装置６０は、液晶表示装置等の平板状表示装置が好適であり、本実施形態においては液晶表示装置（ＬＣＤ）が採用されている。画像表示装置６０には、住戸子機等のカメラで撮影された画像の他、当該インターホンシステム１０の各種の機能の設定を行うための設定画面や、文字情報などを表示することもできる。タッチパネル６２は、静電容量、抵抗等を利用して、当該パネル上の指等が触れた位置を検出することができる。
【００１７】
タッチパネル６２の、画像表示装置６０と重なっていない部分に設けられた機能ボタン６４のそれぞれの裏面には、発光ダイオード（ＬＥＤ）などの光源７０（図５，７参照）が配置される。この光源からの光が、所定の文字や模様を浮き上がらせるべく形成されたマスクを透過して、タッチパネル上にその文字等が表示される。タッチパネル６２は、この表示された位置およびその周辺のあらかじめ定められた範囲に指等が触れると、これを検知するよう制御され、その位置に表示された機能の動作を指示するボタンとなる。
【００１８】
本実施形態の住戸親機２０のタッチパネル付きモニタ４６には、さらにセキュリティ関連の情報、例えば火災発生、ガス漏れなどの情報を表示する機能がある。セキュリティ関連情報表示６６も、機能ボタン６４と同様、タッチパネル６２の、画像表示装置６０より外側の部分に配置される。しかし、これらは単なる表示であり、操作のためのボタンを構成しないので、タッチパネル６２の部分に設けられることは必須ではない。
【００１９】
図５および図６は、タッチパネル付きモニタ４６の断面図である。図５が図２における縦方向の断面を示す図、また図６が横方向の断面を示す図である。図７は、タッチパネル付きモニタ４６を構成する部品を分解した断面図である。前述のように、タッチパネル付きモニタ４６は、画像表示装置６０とタッチパネル６２を重ねて構成される。図示される画像表示装置６０は、バックライト付きの液晶表示装置であり、液晶表示装置の制御装置の回路部品、素子等が実装された基板６８上に実装されている。この制御装置と液晶表示装置は基板の表裏に配置されている。基板６８の画像表示装置６０が配置された面の、画像表示装置６０より外側の部分には、光源７０が配置されている。この光源７０が、機能ボタン６４およびセキュリティ関連情報表示６６をタッチパネル付きモニタ４６の表面に表示させる前述の光源である。
【００２０】
画像表示装置６０とタッチパネル６２の間には拡散シート７２が配置される。拡散シート７２のサイズは画像表示装置６０のサイズより大きく、画像表示装置６０より外側の部分（図７において符号７４で示す部分）には、前述の機能ボタン６４およびセキュリティ関連情報表示６６の文字、記号が表示されるように印刷が施されている。例えば、文字、記号部分を除いて黒等の遮光性の高い印刷を行うようにできる。光源７０からの光が文字、記号部分を透過して、タッチパネル付きモニタ４６の表面にその文字、記号を浮き上がらせる。印刷以外にも、文字、記号の部分を抜いたマスクシートを拡散シート７２と重ねる方法もある。本実施形態においては、画像表示装置６０の周囲を全て囲うようにタッチパネル６２のみの領域、すなわちタッチパネル６２が画像表示装置６０と重なっていない領域が設けられているが、この領域は、機能ボタン６４が配置される部分に設けられていれば十分である。したがって、本実施形態のように、下辺に機能ボタン６４を配置した場合は、下辺のみにタッチパネル６２が、延出しているように構成することもできる。タッチパネル６２は、その周辺部分を、住戸親機２０から外れないようにカバー７６で押さえられている。
【００２１】
本実施形態の住戸親機２０のタッチパネル付きモニタ４６は、前述のように画像表示装置６０よりタッチパネル６２のサイズを大きくし、画像表示装置６０の周囲にタッチパネル６２だけとなる領域が設けられている。この領域は、画像表示装置６０がない分、厚さを薄くすることができる。これにより、側面または底面方向から見たときの凸形状の幅の広い部分５６の厚さを薄くすることができ、壁面から出っ張る寸法を抑えている。
【００２２】
機能ボタン６４は、本実施形態の住戸親機２０においては、前述のように４種が設けられている。これらの４種のボタンは、録画ボタン６４ａ、逆光補正ボタン６４ｂ、保留ボタン６４ｃ、音量ボタン６４ｄである。「録画」と表示される録画ボタン６４ａは、集合玄関子機および住戸子機のカメラ２２，３８で撮影された画像を録画する指示を行うためのボタンである。録画ボタン６４ａが押されると、カメラ２２またはカメラ３８により撮影され、画像表示装置６０に表示されている画像の録画が開始される。あらかじめ定められている時間が経過すると、または再度録画ボタン６４ａが押されると、録画が停止する。「逆光」と表示される逆光補正ボタン６４ｂは、カメラ２２または３８により撮影されている画像について、逆光補正の指示を行うためのボタンである。カメラで撮影された画像の背景が明るいと、来訪者の顔が暗く表示され、よく見えない場合がある。例えばガンマ補正を利用し、来訪者の顔が明るく表示されるようにする。再度、逆光補正ボタン６４ｂを押すことにより、逆光補正を解除することができる。
【００２３】
「保留」と表示される保留ボタン６４ｃは、来訪者との通話中に、こちらの音声を来訪者側に伝えないようにする機能の指示を行うものである。保留ボタン６４ｃを押すことにより、こちらの音声を伝えないようにし、再度ボタンを押すことによって、保留状態が解除される。「音量」と表示される音量ボタン６４ｄは、集合玄関子機または住戸子機のマイク２４，４０で収集された音声の住戸親機のスピーカ４８での再生音量の調節の指示を行うものである。例えば、音量ボタン６４ｄを押すごとに音量の大小を入れ替える。また、大中小など３段階以上の音量をあらかじめ設定しておき、音量ボタン６４ｄを押すごとに、大−中−小−大−中−小と循環的に繰り返すようにしてもよい。
【００２４】
これらの機能ボタン６４は、タッチパネルの背面側に配置された光源７０により表示されるが、光源７０を点灯／消灯を制御して、その状況で必要な機能ボタン６４のみ表示されるようにすることができる。また、タッチパネル６２も表示された機能ボタン６４の位置では接触を感知し、表示されていない機能ボタン６４の位置への接触は感知しないように制御される。
【００２５】
上記の各機能ボタンごとに設定された機能およびタッチパネル６２の動作は、基板６８に実装された制御装置により制御される。この制御装置は、別の基板に実装されてもよく、また住戸親機２０以外の場所に設置されてもよい。
【００２６】
上記４種の機能ボタン６４に係る機能は、集合玄関子機１２または住戸子機１８との間で通話を行う時のみ使用するものである。それ以外の使用状況、例えば設定入力時の設定画面が画像表示装置６０に表示されているとき、セキュリティ情報が画像表示装置６０に表示されているときなどは、これらの機能を使用することがなく、この様な使用状況においては、機能ボタン６４は非表示とされる。
【００２７】
集合玄関子機１２または住戸子機１８より呼び出しがあると、制御装置は、呼び出しのあった子機のカメラ２２またはカメラ３８の画像を画像表示装置６０に表示させる。この段階では、居住者は、来訪者との通話を許可していないので、保留ボタン６４ｃと音量ボタン６４ｄに係る機能は不要であり、これらの機能ボタン６４は非表示に制御される。表示されるのは録画ボタン６４ａと逆光補正ボタン６４ｂである。居住者は必要に応じて録画ボタン６４ａ、逆光補正ボタン６４ｂを操作して、対応する動作の実行を指示する。制御装置は、この操作を受け、所定の動作を実行する。
【００２８】
来訪者と通話が必要と判断した場合、居住者は通話ボタン５０を押す。制御装置は、通話ボタン５０が押されたことを検知すると、集合玄関子機１２または住戸子機１８と、住戸親機２０の通話を可能とする。この状況においても、録画機能、逆光補正機能は有効であり、これらに係る機能ボタン６４ａ，６４ｂは表示に維持される。通話を行っている使用状況では、音量調整機能、保留機能が必要となる場合があり、これらに係る機能ボタン、すなわち保留ボタン６４ｃおよび音量ボタン６４ｄも表示状態とされる。
【００２９】
このように、インターホンの使用状況に応じて、その使用状況下で使用することができる機能に係る機能ボタンのみが表示される。これにより、そのときどの機能を選択することができるのかを使用者に明示することができる。また、カメラで撮影された画像と機能ボタン６４が重なることがなく、機能ボタンにより画像が隠されることがない。
【００３０】
本実施形態のインターホンシステム１０においては、来訪者との通話の際、通話ボタン５０を押している間のみ、住戸親機２０からの音声が、住戸子機１８または集合玄関子機１２より発生されるプレストーク方式の通話方式を設定することができる。これに対し、前述した通話ボタン５０を１回押すと、その後は、ボタンを放しても双方向の通話が可能な方式はハンズフリー方式と呼ばれる。
【００３１】
プレストーク方式の場合、保留機能は、通話ボタン５０を放すことですでに達成されている機能であり、保留ボタン６４ｃは常に表示しない。他の機能ボタンは、ハンズフリー方式と同様に制御される。
【００３２】
さらに、管理室親機１６と通話する場合、保留ボタン６４ｃと音量ボタン６４ｄのみが表示される。本実施形態のインターホンシステム１０においては、管理室親機１６には、カメラが備えられていないので、録画機能、逆光補正機能は不要であり、これらの機能に係る録画ボタン６４ａ、逆光補正ボタン６４ｂは非表示となる。管理室親機１６との通話においては、管理室より送られた文字による情報が画像表示装置６０に表示される場合がある。
【００３３】
上述したインターホンシステム１０によれば、使用状況に応じて、その使用状況において使用できる機能に係る機能ボタンを表示し、使用できない機能に係る機能ボタンを非表示とすることで、使用できる機能を使用者に明示している。使用できる機能を示す方法としては、上記の表示／非表示の他に輝度を変える、色を変えるなどが考えられる。輝度については光源に供給する電力の調整などにより実現できる。色の変更は、一つの機能ボタンに対し、異なる色を発光する光源を設けることで実現できる。
【００３４】
さらに、インターホンシステム１０は集合住宅用のものであるが、住戸子機１８と住戸親機２０を戸建て住宅に用いることも可能である。この場合、住戸子機１８は家屋の玄関または門に設置され、住戸親機２０が家屋内の所定の箇所に設置するようにできる。
【図面の簡単な説明】
【００３５】
【図１】集合住宅用インターホンシステムの概略構成図である。
【図２】住戸親機の正面外観図である。
【図３】住戸親機の側面外観図である。
【図４】住戸親機の底面外観図である。
【図５】住戸親機のタッチパネル付きモニタ部分の縦断面図である。
【図６】住戸親機のタッチパネル付きモニタ部分の横断面図である。
【図７】タッチパネル付きモニタの分解側面図である。
【符号の説明】
【００３６】
１０  インターホンシステム、１２  集合玄関子機、１６  管理室親機、１８  住戸子機、２０  住戸親機、４６  タッチパネル付きモニタ、５０  通話ボタン、６０  画像表示装置、６２  タッチパネル、６４  機能ボタン、７０  光源。
【図１】
2009159347.tif 000003
【図２】
2009159347.tif 000004
【図３】
2009159347.tif 000005
【図４】
2009159347.tif 000006
【図５】
2009159347.tif 000007
【図６】
2009159347.tif 000008
【図７】
2009159347.tif 000009